(57)【要約】【課題】  既存の建物の天井部分に設置されている換気扇を利用して床面近くの臭気が効率よく吸気され、かつ、既設の天井面および壁面に容易に設置されることを目的とした組立式換気装置を提供する。【解決手段】  天井面１１に設置される換気扇１０を被冠して連通されて取付けられる内部を通気路４ａとする薄型長形状の中空管体５ａから形成される天井用吸気管部材１と、壁面１３の縦方向に取り付けられ、その下端側を床面近くに位置され、内部を通気路４ｂとする薄型長形状の中空管体５ｂから製せられ、少なくとも床面側に吸気口９を備える壁面用吸気管部材２と、天井面１２と壁面１３の隅角部に取り付けられ、内部を通気路４ｃとする薄型長形状の中空管体５ｃから形成され、前記天井用部材１と壁面用部材２とを連結するＬ字状の繋ぎ部材３とからなる。【選択図】図１
2009092365.tif 000002
【特許請求の範囲】
【請求項１】
天井面に設置される換気扇を被冠して連通されて取り付けられる内部を通気路とする薄型長形状の中空管体から形成される天井用吸気管部材と、壁面の縦方向に取り付けられ、その下端側を床面近くに位置し、内部を通気路とする薄型長形状の中空管体から形成され、少なくとも床面側に吸気口を備える壁面用吸気管部材と、天井面と壁面の隅角部に取り付けられ、内部を通気路とする薄型長形状の中空管体から形成され、前記天井用吸気管部材と壁面用吸気管部材とを連結するＬ字状の繋ぎ部材とからなり、換気扇の稼動により床面付近に滞留されている異臭や汚染空気を前記壁面用吸気管部材に設けた吸気口から吸引して、壁面用吸気管部材、Ｌ字状の繋ぎ部材及び天井用吸気管部材の通気路を通って換気扇より排出してなる組立式換気装置。
【請求項２】
前記天井用吸気管部材と壁面用吸気管部材とを同一部材から形成するとともに、Ｌ字状の繋ぎ部材は天井用吸気管部材と壁面用吸気管部材より板厚保程度小形として挿入連結し、かつ、繋ぎ部材の天井用吸気管部材側を壁面用吸気管部材側に比して長形として天井用部材の開口部と換気扇と連続してなる請求項１記載の組立式換気装置。
【発明の詳細な説明】
【技術分野】
【０００１】  本発明は、建物とくにトイレ、浴室あるいは台所等の限られた部屋において、その天井面に設置されている換気扇を利用して床面近くの空間における給排気を行なう組立式換気装置に関するものである。
【背景技術】
【０００２】  従来、換気を必要とする集合住宅等の建物のトイレ、浴室あるいは台所等は外部から遮蔽され、しかも限られた空間のため、天井面に設置された換気扇の稼動によってのみ換気されているものが多かった。【０００３】  また、吸排気管を室内の壁面に沿って設け、天井面側や床面側に吸気口を設置して天井裏のダクトを通して自然換気させたものも見られた。
【発明の開示】
【発明が解決しようとする課題】
【０００４】  しかしながら密閉性の高い室内とくにトイレあるいは台所等では、汚染された空気や塩素系の臭気が、床面に近い下部に溜まり易く天井面に設置された換気扇のみでは十分換気されず、歳月が経つとトイレあるいは台所等の特有の臭気が壁面や床面に浸み込んで除去できないことが見られた。【０００５】  また、既存の建物においては、トイレあるいは台所等の壁面に新たに換気装置を設置する改修工事を行う場合、その都度異なる室内空間に対応した仕様が求められて、大掛かりな工事が必要であった。【０００６】  本発明の目的は、既存の建物の天井部分に設置されている換気扇を利用して床面近くの臭気が効率よく吸気され、かつ、既設の天井面および壁面に容易に設置されることを目的とした組立式換気装置を提供するものである。
【課題を解決するための手段】
【０００７】  上記目的を達成するため、本発明に係る組立式換気装置は、天井面に設置される換気扇を被冠して連通されて取り付けられる内部を通気路とする薄型長形状の中空管体から形成される天井用吸気管部材と、壁面の縦方向に取り付けられ、その下端側を床面近くに位置し、内部を通気路とする薄型長形状の中空管体から形成され、少なくとも床面側に吸気口を備える壁面用吸気管部材と、天井面と壁面の隅角部に取り付けられ、内部を通気路とする薄型長形状の中空管体から形成され、前記天井用吸気管部材と壁面用吸気管部材とを連結するＬ字状の繋ぎ部材とからなり、換気扇の稼動により床面付近に滞留されている異臭や汚染空気を前記壁面部材に設けた吸気口から吸引して、壁面用吸気管部材、Ｌ字状の繋ぎ部材及び天井用吸気管部材の通気路を通って換気扇より排出してなることを特徴とするものである。【０００８】  さらに、前記天井用吸気管部材と壁面用吸気管部材とを同一部材から形成するとともに、Ｌ字状の繋ぎ部材は天井用吸気管部材と壁面用吸気管部材より板厚保程度小形として挿入連結し、天井用吸気管部材に形成される開口部と換気扇と連続し、この開口部周縁と天井面とを、また、天井用吸気管部材並びに壁面用吸気管部材と繋ぎ部材との周端縁をそれぞれシーリングしてなることを特徴とするものである。
【発明の効果】
【０００９】  上記の構成を有する本発明に係る組立式換気装置によれば、天井面に設置されている換気扇で、床面やその付近に滞留しやすい臭気、汚染された空気あるいは水蒸気等を天井面まで吸引することなく、滞留し易い室内の床面側で集中的に吸引して、換気扇の排気口を通って外部に排出することができる。【００１０】  さらに、天井面に取り付けられる天井用吸気管部材と壁面に取り付けられる壁面用吸気管部材をＬ字状の繋ぎ部材を介して連結してなるもので、室内全体ばかりでなく天井や壁の改修も必要なく、既設の天井や壁をそのまま利用して、個室の仕様に対応した天井用吸気管部材と壁面用吸気管部材を選定し、簡便な施工で取り付けられることができる。【００１１】  さらに、Ｌ字状の繋ぎ部材は、同一部材からなる天井用吸気管部材と壁面用吸気管部材より板厚保程度小形として挿入して連結されることにより、容易にかつ簡単に組み立てられ、しかも天井用吸気管部材並びに壁面用吸気管部材との周端縁をそれぞれシーリングすることにより、換気効率を高めることができる。【００１２】  さらに、天井用吸気管部材は天井面との取り合い面に開口部を形成して換気扇と連続し、かつこの開口部周縁はシーリング加工されており、天井用吸気管部材と換気扇との取り合い位置を容易に調節することができるとともに天井用吸気管部材と換気扇との換気効率を妨げることがない。
【発明を実施するための最良の形態】
【００１３】  以下本発明の最良の形態につき、添付図面を用いて説明する。
図１は本発明に係る組立式換気装置の取付状態を示す正面側の略示図、図２は天井用吸気管部材を示す斜視図、図３は壁用吸気管部材を示す斜視図、図４は繋ぎ部材を示す斜視図、図５は各部材の連接状態を示す斜視図である。【００１４】  本発明に係る組立式換気装置は、天井面１１側に設置される換気扇１０を被冠して、その裏面側に穿設される開口部７を介して接続されて、天井面１１に取り付けられる天井用吸気管部材１と、壁面１２の縦方向に取り付けられ、その下端側を床面近くに位置されて取り付けられる壁面用吸気管部材２と、天井面１１と壁面１２の隅角部に取り付けられ、前記天井用吸気管部材１と壁面用吸気管部材２とを連結するＬ字状の繋ぎ部材３とより構成される。【００１５】  天井面１１に取付けられる天井用吸気管部材１は、図２に示すように、アルミニウムやステンレス等の金属材料、または、ポリプロピレン、または塩化ビニル樹脂等の硬質合成樹脂材より製せられ、内部を通気路４ａとする薄型長形状の中空管体５ａから形成され、両側には取付縁６ａが設けられている。【００１６】  この天井用吸気管部材１は、図１に示すように、両側に設けられている取付縁６ａを介して天井面１１に、取付面側に穿設された開口部７を天井面１１に設置されている換気扇１０に連続させて接続されるように取り付けられる。【００１７】  なお、この天井用吸気管部材１は、合成樹脂材を押出成形等の手段を用いて成形する際、表面の変形あるいは打撲等での破損防止のため仕切り状の補強材を設けることが望ましい（図示せず）。【００１８】  また、合成樹脂材を用いる以外ステンレス等の板材の折曲成形、アルミニュウムの押し出し成形等のものも用いられ、また取り付けにおいては取付縁６ａを介して釘等の止着子で固着する以外、取付部位を形成せず接着剤あるいはテープ等による張着も可能である。【００１９】  天井用吸気管部材１は天井面１１との取り合い面に開口部７を形成して換気扇１０と連続し、かつ、この開口部７周縁は、図５に示すように、空気洩れ防止ウレタンテープ８ａを貼着するシーリング加工されており、天井用吸気管部材１と換気扇１０との取り合い位置を容易に調節することができるとともに天井用吸気管部材１と換気扇１０との換気効率を妨げることがない。【００２０】  壁面１２に取り付けられる壁面用吸気管部材２は、図３に示すように、前記天井用吸気管部材１と同様に、ポリプロピレン、または塩化ビニル樹脂等の硬質合成樹脂材より製せられ、内部を通気路４ｂとする薄型長形状の中空管体５ｂから形成され、両側に取付縁６ｂが設けられている。【００２１】  この壁面用吸気管部材２は、前記天井用吸気管部材１と同一の部材が用いられるが、天井面１１や床面１３の状態により適宜選択される。【００２２】  壁面用吸気管部材２の下端側すなわち床面１３側には適宜の吸気口９が形成され、この吸気口９は換気の必要状況等に対応して床面側以外天井面側等の壁面用吸気管部材２の適宜位置に取り付けられる。【００２３】  天井面１１と壁面１２の隅角部に取り付けられ、天井用吸気管部材１と壁面用吸気管部材２とを連結するＬ字状の繋ぎ部材３は、図４に示すように、内部を通気路４ｃとする薄型長形状の中空管体５ｃから製せら���る。【００２４】  このＬ字状の繋ぎ部材３は、図５に示すように、同一部材から形成される天井用吸気管部材１と壁面用吸気管部材２よりも板厚保程度小形として形成され、かつ、天井用吸気管部材１への差込部３ａを壁面用吸気管部材２への差込部３ｂに比して長形として成形し、天井用吸気管部材１と壁面用吸気管部材２に差込部３ａ、３ｂそれぞれ挿入して連結し、天井用吸気管部材１への差込部３ａの挿入量を調節して天井用吸気管部材１の開口部７と換気扇１０とを連続させる。【００２５】  この際、天井用吸気管部材１と壁面用吸気管部材２の周端縁と繋ぎ部材３の両端の差込部３ａ、３ｂに隙間防止空気洩れ粘液性の糊を使用しアルミビニルテープ８ｂで接着する【００２６】  このように天井用吸気管部材１と壁面用吸気管部材２とをＬ字状の繋ぎ部材３を介して組み立てられ、天井面１１及び壁面１２に取り付けて、換気扇１０の稼動により、壁面用吸気管部材２の床面１３側に設けられている吸気口９から臭気や汚染された空気を吸引して、壁面用吸気管部材２、Ｌ字状の繋ぎ部材３及び天井用吸気管部材１にそれぞれ形成される通気路４ａ、４ｂ、４ｃを通って換気扇１０の排出管により外部に排出されて換気に供されるものである。【００２７】  天井用吸気管部材１、壁面用吸気管部材２とＬ字状の繋ぎ部材３とから構成される本発明に係る組立式換気装置は、天井面１１及び壁面１２の片側に取り付けられる以外、室内空間の広さや換気の必要性を考慮して、対向面や隣接面にも取付が可能であり、また、天井用吸気管部材１、壁面用吸気管部材２とＬ字状繋ぎ部材３の表面を周囲の天井及び壁と同一または近似として違和感を抑えることであってもよい
【図面の簡単な説明】
【００２８】
【図１】本発明に係る組立式換気装置の取付状態を示す正面側の略示図である。
【図２】本発明に係る組立式換気装置を構成する天井用吸気管部材を示す斜視図である。
【図３】同じく組立式換気装置を構成する壁用吸気管部材を示す斜視図である。
【図４】同じく組立式換気装置を構成する繋ぎ部材を示す斜視図である。
【図５】各部材の連接状態を示す斜視図である。
【符号の説明】
【００２９】１      天井用吸気管部材
２      壁用吸気管部材
３      繋ぎ部材
３ａ    繋ぎ部材３の天井用吸気管部材１への差込部
３ｂ    繋ぎ部材３の壁面用吸気管部材２への差込部
４      通気路
４ａ    天井用吸気管部材１の通気路
４ｂ    壁用吸気管部材２の通気路
４ｃ    繋ぎ部材３の通気路
５      中空管体
５ａ    天井用吸気管部材１の中空管体
５ｂ    壁用吸気管部材２の中空管体
５ｃ    繋ぎ部材３の中空管体
６      取付縁
６ａ    天井用吸気管部材１の取付縁
６ｂ    壁用吸気管部材２の取付縁
７      天井用吸気管部材１の開口部
８ａ    ウレタン防止テープ
８ｂ    アルミ、ビニルテープ
９      換気口
１０    換気扇
１１    天井面
１２    壁面
１３    床面
【図１】
2009092365.tif 000003
【図２】
2009092365.tif 000004
【図３】
2009092365.tif 000005
【図４】
2009092365.tif 000006
【図５】
2009092365.tif 000007